(57)【要約】      （修正有）【課題】解除ボタンの形状に左右されることなく給紙カセットの施錠を実現し、セキュリティリスクを軽減する。解除ボタンを規制するために大きなカムを用いることなく、画像形成装置の小型化を実現する。【解決手段】鍵２９をシリンダ２２に挿入し、シリンダ２２を回転させることでシリンダ２２に連動しているカム１０−３が回転し、フック４の動きを規制する位置に移動する。その結果、解除ボタン２−２を押下してもカム１０−３がフック４を固定する位置に回転しているため、簡易ロック機構の解除が無効となる。また、解除ボタン２−２を押下することもできなくなる。【選択図】図１１
2010155710.tif 000002
【特許請求の範囲】
【請求項１】
給紙カセットを収納可能な収納部を備える画像形成装置において、
前記給紙カセットは、
当該画像形成装置の収納部への収納状態を解除するためのボタンと、
前記給紙カセットに支持され支点を中心に回動可能であって、該給紙カセットと前記画像形成装置を係合し、前記ボタンが押下されると、前記ボタンからの押圧によって係合を解除する位置に回動する係合部と、
前記ボタンの中心から外れた位置で支持され、前記ボタンが押下されると前記係合部を回動させる力点として前記係合部に支持する解除機構とを備え、
前記画像形成装置は、
前記給紙カセットを前記収納部に収納状態で固定させるために、前記係合部が係合する被係合部を備え、
鍵により回動可能なシリンダと、
前記シリンダの鍵による回動に合わせて回動し、前記ボタンが押下されたときの前記係合部の回動を抑制する位置に回動する固定部とを備えることを特徴とする画像形成装置。
【請求項２】
前記解除機構は、前記係合部と該解除機構とを連結するピン部と、前記ボタンに接続して前記係合部を押圧する押圧部とからなることを特徴とする請求項１に記載の画像形成装置。
【請求項３】
前記ボタンは、押下したときに反発をして該ボタンを押し戻すバネ部を更に備え、
前記バネ部は、前記ボタンが押下されたときの反発により、前記係合部の運動を所定の状態に戻すことを特徴とする請求項１に記載の画像形成装置。
【請求項４】
前記固定部は、
前記シリンダに挿入された鍵による回動に伴い、前記係合部の回動を抑制するための位置に回動するカムを備え、
前記固定部は、前記画像形成装置に設置されていることを特徴とする請求項１に記載の画像形成装置。
【請求項５】
前記固定部は
前記シリンダに挿入された鍵による回動に伴い、前記係合部の回動を抑制するための位置に回動するカムを備え、
前記固定部は、前記給紙カセットに設置されていることを特徴とする請求項１に記載の画像形成装置。
【請求項６】
画像形成装置の収納部に収納可能な給紙カセットの施錠方法であって、
前記給紙カセットは、
当該画像形成装置の収納部への収納状態を解除するためのボタンと、
前記給紙カセットに支持され支点を中心に回動可能であって、該給紙カセットと前記画像形成装置を係合し、前記ボタンが押下されると、前記ボタンからの押圧によって係合を解除する位置に回動する係合部と、
前記ボタンの中心から外れた位置で支持され、前記ボタンが押下されると前記係合部を回動させる力点として前記係合部に支持する解除機構とを備え、
前記画像形成装置は、
前記給紙カセットを前記収納部に収納状態で固定させるために、前記係合部が係合する被係合部を備え、
鍵により回動可能なシリンダと、
前記シリンダの鍵による回動に合わせて回動し、前記ボタンが押下されたときの前記係合部の回動を抑制する位置に回動する固定部とを備えることを特徴とする画像形成装置の収納部に収納可能な給紙カセットの施錠方法。
【請求項７】
給紙カセットを収納部に収納状態で固定させるためのストッパー部材を備える画像形成装置の収納部に収納される給紙カセットであって、
前記画像形成装置の収納部への収納状態を解除するためのボタンと、
当該給紙カセットに支持され支点を中心に回動可能であって、前記画像形成装置のストッパー部材と係合し、前記ボタンが押下されることによる前記ボタンからの押圧によって前記ストッパー部材との係合を解除する位置に回動する係合部と、
前記ボタンの中心から外れた位置で支持され、前記ボタンが押下されると前記係合部を回動させる力点として前記係合部に支持する解除機構と、
鍵により回動可能なシリンダと、
前記シリンダの鍵による回動に合せて回動し、前記ストッパー部材との係合を解除する位置への前記係合部の回動を抑制する位置に回動する固定部と
を備えることを特徴とする給紙カセット。
【発明の詳細な説明】
【技術分野】
【０００１】
本発明は、給紙カセットと画像形成装置との係合を固定することで給紙カセットの施錠を行う画像形成装置に関する。
【背景技術】
【０００２】
現在市場に供給されている画像形成装置は、輸送中や使用中の給紙カセット飛び出しを防ぐために、簡易ロック機構を有している。
【０００３】
簡易ロック機構は、図１に示されるような画像形成装置１の下段に設置されている給紙カセットに、ロックを解除するための解除ボタン２を備えており、押下すると、ロック機構が外れて給紙カセット３のように飛び出す構造になっている。
【０００４】
簡易ロック機構について図２を以下の通りである。
【０００５】
画像形成装置１に給紙カセットを収納するための収納部に存在する画像形成装置と給紙カセットを係合するためのフック４に係合するストッパー部材５（以下、ピン５）に、支点７で給紙カセット３に備え付けられているフック４が回転することによって引っかかり、給紙カセット３の動きを規制している。これにより、給紙カセット３が誤って飛び出さないようになっている。
【０００６】
解除ボタン２を押下すると、解除ボタン２の一部分であるボス６が押圧されることによってボス６とフック４とが連結している連結部分に力が働き、フック４が回転する。この回転よってフック４がピン５から外れ、給紙カセット３と画像形成装置１のロックが解除され、画像形成装置１の給紙カセット３が引き出し可能になる。
【０００７】
また、本実施例の図面では不図示であるが、解除ボタン２のボス６にはバネが巻いてあり、押下することでバネに力が加わって収縮する。解除ボタン２の押下を止めると、バネの反発により解除ボタン２が元の位置に戻り、フック４はピン５に係って給紙カセット３の動きを規制している。
【０００８】
しかしながら、この簡易ロック機構はあくまでも給紙カセット３が誤って飛び出すのを防止するためのものであり、使用者が誰でも解除ボタンを押せばロックが解除されてしまうため、給紙カセットの中身を保護するための施錠機構としては機能することは難しい。
【０００９】
例えば、給紙カセット３には帳票用紙や小切手等の有価証券を入れて使用する使用方法があり、既存の簡易ロック機構のみでは、給紙カセット３内にある帳票用紙や有価証券等が容易に外部の使用者に持ち出されてしまうという、セキュリティ上の問題があった。
【００１０】
本問題を解決するために、本実施例で説明するような形状を有する画像形成装置１に収納可能な給紙カセットの正面カバーに取り付けたシリンダを回転させることで解除ボタンの押下を防ぎ、給紙カセットの施錠を実現する手法がある。
【００１１】
特許文献１では、図３に示すように給紙カセット前カバー８に取り付けたシリンダ２２を回転させると、カム１０が回転する。回転したカム１０が解除ボタン２の動きを規制する。その結果、使用者による解除ボタン２の押下が出来ず、給紙カセットの施錠を実現している。
また、画像形成装置は、製品価格を下げ、オフィス内の省スペースのために装置の小型化実現が市場課題に挙げられている。本課題を解決するために、次のような手法をとっている。
【００１２】
特許文献２では、複数ある給紙カセットのうち、図４で示すような上段給紙カセット３−２を小型化し、空いたスペース（上段給紙カセット３−２の幅１３と下段給紙カセット３−１の幅１４の空間）に用紙搬送ユニット１５を組み込む。
小型化を実施しても稜線を揃えることにより、外観デザイン上はすべて同じ給紙カセットに見える。このことは操作者へ違和感を与えない。
【００１３】
また、特許文献２のように画像形成装置の小型化を実現するために、複数ある給紙カセットのうち図４で示すような上段給紙カセット３−２と下段給紙カセット３−１では、部品レベルで形状が異なっている。
【００１４】
例えば、図４で説明したように、用紙を収納する給紙カセットの形状が異なる。
【００１５】
また、下段給紙カセット３−１では、後述する図５で示すような解除ボタン２−１を備えているが、一方、上段給紙カセット３−２では、図７で示すような解除ボタン２−２を備えている。
【００１６】
更に、給紙カセットの前カバーの形状においても違いが存在する。下段給紙カセット３−１では、後述する図５で示すような下段給紙カセット前カバー８−１を備えているが、一方、上段給紙カセット３−２では、図７で示すような上段給紙カセット前カバー８−２を備えている。
【００１７】
特許文献１では、図３のように解除ボタン２を規制することで、給紙カセットの施錠を実現していた、しかし特許文献２のように小型化を試みると、図３のような手法で給紙カセットの施錠を実現することが困難な場合がある。
【００１８】
特許文献２では、図５で示すように解除ボタン２−１の一部であるボス６の動きを支持するレール１８−１が解除ボタン２−１のように中心に存在する場合は、図  ６のように解除ボタン２−１のどこを押しても上下・左右のガタツキがなく、図３のような従来の施錠方法でカム１０が解除ボタンの裏に入ることで動きを規制できる。
【特許文献１】特願２００８−２７０４７０
【特許文献２】特開平７−６１６１３
【発明の開示】
【発明が解決しようとする課題】
【００１９】
しかし、図７のように解除ボタン２−２の一部であるボス６−２を支持するレール１８−２が解除ボタン２−２の中心から外れて存在する場合（例えば図７で示すようにボタンの下部に存在する場合）は、図９で示すような従来の施錠方法であると、カム１０−１が小さく、解除ボタン２−２がプラスチックなどの素材で作られていると、ある特定の場所を押下するで「てこの原理」が作用し、解除ボタン２−２のロックが解除されてしまう場合がある。このような場合には、図１０に示すように大きなカム１０−２が必要となる。
【００２０】
しかし、図１０で示すようにカムを大きくするには、カム１０−２を回転させるための広いスペースが必要となり、特許文献２で小型化を目指している画像形成装置の流れと逆行するものである。
本発明は、上記課題を解決するためになされたものである。
【００２１】
即ち、解除ボタンの押下により係合部材を押圧する押圧部材の取り付け位置が解除ボタンの中心から外れて位置している給紙カセットの施錠を実現し、セキュリティリスクを軽減することを目的としている。
また本発明は、解除ボタンを規制するために大きなカムを用いることなく、画像形成装置を小型化することを目的としている。
【課題を解決するための手段】
【００２２】
本発明を実現するための実現方法は以下の通りである。
【００２３】
本発明は、給紙カセットを収納可能な収納部を備える画像形成装置において、前記給紙カセットは、当該画像形成装置の収納部への収納状態を解除するためのボタンと、前記給紙カセットに支持され支点を中心に回動可能であって、該給紙カセットと前記画像形成装置を係合し、前記ボタンが押下されると、前記ボタンからの押圧によって係合を解除する位置に回動する係合部と、前記ボタンの中心から外れた位置で支持され、前記ボタンが押下されると前記係合部を回動させる力点として前記係合部に支持する解除機構とを備え、前記画像形成装置は、前記給紙カセットを前記収納部に収納状態で固定させるために、前記係合部が係合する被係合部を備え、鍵により回動可能なシリンダと、前記シリンダの鍵による回動に合わせて回動し、前記ボタンが押下されたときの前記係合部の回動を抑制する位置に回動する固定部とを備えることを特徴とする画像形成装置。
【発明の効果】
【００２４】
本発明によれば、解除ボタンの押下により係合部材を押圧する押圧部材の取り付け位置が解除ボタンの中心から外れて位置している給紙カセットの施錠を実現し、セキュリティリスクを軽減することができる。
【００２５】
また、本発明によれば、解除ボタンを規制するために大きなカムを用いることなく、画像形成装置の小型化を図ることができる。
【発明を実施するための最良の形態】
【００２６】
本実施例では、給紙カセットの飛び出しを規制しているフックの動きをカムによって規制することで給紙カセットの施錠を実現している。
【００２７】
本実施例で説明する、施錠方法を実施するための構成を備える画像形成装置の上段給紙ユニット３−２について説明する。
画像形成装置は、製品自体の小型化を実現するために、複数ある給紙カセットのうち図４で示すように上段給紙カセット３−２と下段給紙カセット３−１では、部品レベルで形状が異なっている。
【００２８】
複数ある給紙カセットのうち、上段給紙カセット３−２を小型化し、空いたスペース（上段給紙カセット３−２の幅１３と下段給紙カセット３−１の幅１４の空間）に用紙搬送ユニット１５を組み込む。これによって、上段給紙カセット３−２の幅１３は、下段給紙カセット３−１の幅１４よりも小さい設計になっている。
【００２９】
下段給紙カセット３−１では、後述する図５で示すような解除ボタン２−１を備えており、解除ボタン２−１とフック４とを連結させるボス６−１は解除ボタン２−１の中心に位置している。ここで、解除ボタン２−１とフック４とを連結させるボス６−１とを解除機構と呼ぶ。
一方、上段給紙カセット３−２では、図７で示すような解除ボタン２−２を備えており、ボス６−２は、解除ボタン２−２の中心から外れて位置している。
【００３０】
更に、給紙カセットの前カバーの形状においても違いが存在する。下段給紙カセット３−１では、後述する図５で示すような下段給紙カセット前カバー８−１を備えており、解除ボタン２−１のボス６−１を支持するレール１８−１が解除ボタン２−１の中心に位置しているが、一方、上段給紙カセット３−２では、図７で示すような上段給紙カセット前カバー８−２を備えており、解除ボタン２−２のボス６−２を支持するレール１８−２が解除ボタン２−２の中心から外れて位置している。
そのため、図７のように解除ボタン２−２の一部であるボス６−２を支持するレール１８−２が解除ボタン２−２の中心から外れて存在する場合（例えば図７で示すようにボタンの下部に存在する場合）は、図９で示す施錠方法であると、カム１０−１が小さく、解除ボタン２−２がプラスチックのような性質のものである場合、特定の場所を押す事で「てこの原理」が作用し、解除ボタン２−２の施錠が解除されてしまうおそれがある。
【００３１】
下段カセット３−１は、図３で示すような方法を用いて施錠可能である。
【００３２】
下段カセット３−１は、支点７で給紙カセット３に備え付けられているフック４が支点７を中心に回転（回動）することによってピン５に係合するため簡易ロック状態となる。簡易ロック状態から解除ボタン２−１の押下によってボス６−１がフック４を押圧し、フック４が回転（回動）することでピン５から外れるため、給紙カセット３−１は引き出し可能となる。
【００３３】
これを施錠するためには、図３に示すように給紙カセット前カバー８に取り付けたシリンダ２２を回転させると、カム１０が回転する。回転したカム１０が解除ボタン２−１の動きを規制しボス６−１の押圧をフック４に伝えることが出来なくなる。その結果、使用者による解除ボタン２−１の押下が出来ず、給紙カセットの施錠を実現している。
【００３４】
上段カセット３−２は、図１１で示すような方法を用いて施錠可能である。
以下、図１１を用いて説明する。
上段カセット３−２は、支点７で給紙カセット３−２に備え付けられているフック４が支点７を中心に回転（回動）することによってピン５に係合するため簡易ロック状態となる。簡易ロック状態から解除ボタン２−２の押下によってボス６−２がフック４を押圧し、フック４が回転（回動）することでピン５から外れるため、給紙カセット３−２は引き出し可能となる。
【００３５】
これを施錠するためには、図１１に示すように鍵２９をシリンダ２２に挿入し、シリンダ２２を回転させることでシリンダ２２に連動しているカム１０−３が回転し、フック４の動きを規制する位置に移動する。
【００３６】
その結果、解除ボタン２−２の押下をしてもボス６−２からの押圧によりフック４を回転させようとしても、カム１０−３がフック４を固定する位置に回転しているため、図２で説明した簡易ロック機構の解除が無効となり施錠状態となる。また、解除ボタン２−２を押下することもできなくなる。
【００３７】
即ち本実施例で説明する画像形成装置においては、前記給紙カセットは、当該画像形成装置の収納部への収納状態を解除するためのボタンと、前記給紙カセットに支持され支点を中心に回動可能であって、該給紙カセットと前記画像形成装置を係合し、前記ボタンが押下されると、前記ボタンからの押圧によって係合を解除する位置に回動する係合部と、前記ボタンの中心から外れた位置で支持され、前記ボタンが押下されると前記係合部を回動させる力点として前記係合部に支持する解除機構とを備え、前記給紙カセットを前記収納部に収納状態で固定させるために、前記係合部が係合する被係合部を備え、鍵により回動可能なシリンダと、前記シリンダの鍵による回動に合わせて回動し、前記ボタンが押下されたときの前記係合部の回動を抑制する位置に回動する固定部とを備えることを特徴とする。
即ち、本発明において前記固定部は前記シリンダに挿入された鍵による回動に伴い、前記係合部の回動を抑制するための位置に回動するカムを備え、前記固定部は、前記給紙カセットに設置されていることを特徴とする。
【００３８】
また、シリンダ２２が給紙カセットではなく、画像形成装置本体に存在する場合も考えられる。
【００３９】
本実施例においては不図示であるが、シリンダ２２を画像形成装置１の給紙カセット収納部付近を位置させて設ける。鍵２９をシリンダ２２に挿入し、シリンダ２２を回転させることでカム１０−３も連動して回転し、フック４の動きを規制する位置に移動する。この場合は、図１１で示すようなカムの向きであると施錠が行えないことが想定されるため、シリンダの設置箇所に応じてカムの向きを工夫する必要がある。
【００４０】
即ち、本発明において、固定部は、前記シリンダに挿入された鍵による回動に伴い、前記係合部の回動を抑制するための位置に回動するカムを備え、前記固定部は、前記画像形成装置に設置されていることを特徴とする。
【００４１】
また、本発明は、画像形成装置の収納部に収納可能な給紙カセットの施錠機構として説明したが、給紙カセット単体の施錠機構としても実施可能である。
即ち、本発明は、給紙カセットを収納部に収納状態で固定させるためのストッパー部材を備える画像形成装置の収納部に収納される給紙カセットであって、前記画像形成装置の収納部への収納状態を解除するためのボタンと、
当該給紙カセットに支持され支点を中心に回動可能であって、前記画像形成装置のストッパー部材と係合し、前記ボタンが押下されることによる前記ボタンからの押圧によって前記ストッパー部材との係合を解除する位置に回動する係合部と、前記ボタンの中心から外れた位置で支持され、前記ボタンが押下されると前記係合部を回動させる力点として前記係合部に支持する解除機構と、鍵により回動可能なシリンダと、前記シリンダの鍵による回動に合せて回動し、前記ストッパー部材との係合を解除する位置への前記係合部の回動を抑制する位置に回動する固定部とを備えることを特徴とする。
【００４２】
以上説明したように、本発明によれば、解除ボタンの押下により係合部材を押圧する押圧部材の取り付け位置が解除ボタンの中心から外れて位置している給紙カセットの施錠を実現し、セキュリティリスクを軽減することができる。
【００４３】
また、本発明によれば、解除ボタンを規制するために大きなカムを用いることなく、画像形成装置を小型化することができる。
【００４４】
以上、添付図面を用いて、本発明における画像形成装置の施錠方法の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４５】
【図１】本発明における一般的な画像形成装置と該画像形成装置に収納可能な給紙カセットの一例を示す図である。
【図２】本発明における給紙カセットの施錠機構を表す一例を示す図である。
【図３】本発明における特許文献１で記載されている画像形成装置における従来の施錠方法の一例を示す図である。
【図４】本発明における給紙カセットの上段給紙カセット及び下段給紙カセットの形状比較と、画像形成装置内部の構造の一例を示す図である。
【図５】本発明における給紙カセットのうち下段給紙カセットの解除ボタンと正面カバーの構成の一例を示す図である。
【図６】本発明における給紙カセットのうち下段給紙カセットの解除ボタンと正面カバー装着時の構成の一例を示す図である。
【図７】本発明における給紙カセットのうち上段給紙カセットの解除ボタンと正面カバーの構成の一例を示す図である。
【図８】本発明における給紙カセットのうち上段給紙カセットの解除ボタンと正面カバー装着時の構成の一例を示す図である。
【図９】図３の施錠方法を利用して、本発明における給紙カセットのうち上段給紙カセットの解除ボタンを施錠する場合の施錠構成の一例を示す図である。
【図１０】図３の施錠方法を利用して、本発明における給紙カセットのうち上段給紙カセットの解除ボタンを施錠する場合の施錠構成の一例を示す図である。
【図１１】本発明のにおける最良の実施形態の一例を示す図である。
【符号の説明】
【００４６】
画像形成装置１
解除ボタン２
下段解除ボタン２−１
上段解除ボタン２−２
給紙カセット３
下段給紙カセット３−１
上段給紙カセット３−２
フック４
ストッパー部材（ピン）５
ボス６
下段解除ボタンのボス６−１
上段解除ボタンのボス６−２
支点７
給紙カセット前カバー８
下段給紙カセット前カバー８−１
上段給紙カセット前カバー８−２
カム１０
カム１０−１
カム１０−２
カム１０−３
上段給紙カセットの幅１３
下段給紙カセットの幅１４
用紙搬送ユニット１５
レール１８−１
レール１８−２
シリンダ２２
鍵２９
【図１】
2010155710.tif 000003
【図２】
2010155710.tif 000004
【図３】
2010155710.tif 000005
【図４】
2010155710.tif 000006
【図５】
2010155710.tif 000007
【図６】
2010155710.tif 000008
【図７】
2010155710.tif 000009
【図８】
2010155710.tif 000010
【図９】
2010155710.tif 000011
【図１０】
2010155710.tif 000012
【図１１】
2010155710.tif 000013
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
給紙カセットを収納可能な収納部を備える画像形成装置において、
前記給紙カセットは、
前記画像形成装置の収納部への収納状態を解除するためのボタンと、
前記給紙カセットに支持され支点を中心に回動可能であって、該給紙カセットと前記画像形成装置を係合し、前記ボタンが押下されると、前記ボタンからの押圧によって係合を解除する位置に回動する係合部と、
当該ボタンが押下されることにより、一方が前記ボタンの中心から外れた位置で押圧を受け、もう一方が前記係合部を回動させる力点として作用する押圧部とを備え、
前記画像形成装置は、
前記給紙カセットを前記収納部に収納状態で固定させるために、前記係合部が係合する被係合部を備え、
前記給紙カセットまたは前記画像形成装置は、
鍵により回動可能なシリンダと、
前記シリンダが鍵により回動された状態で、前記ボタンが押下されたときの前記係合部の回動を抑制する位置に動作する固定部と
を備えることを特徴とする画像形成装置。
【請求項２】
前記固定部は、
前記シリンダに挿入された鍵による回動に合わせて、前記係合部の回動を抑制するための位置に回動するカムを備え、更に、前記画像形成装置に設置されていることを特徴とする請求項１に記載の画像形成装置。
【請求項３】
前記固定部は、
前記シリンダに挿入された鍵による回動に合わせて、前記係合部の回動を抑制するための位置に回動するカムを備え、更に、前記給紙カセットに設置されていることを特徴とする請求項１に記載の画像形成装置。
【請求項４】
前記押圧部は、
前記係合部と該押圧部とを連結させる連結部を更に備え、
前記連結部は、前記押圧部の押圧によって前記係合部を解除する位置に回動させるための支点として作用することを特徴とする請求項１乃至３のいずれか１項に記載の画像形成装置。
【請求項５】
前記ボタンは、押下したときに反発をして該ボタンを押し戻すバネ部を更に備え、
前記バネ部は、前記ボタンが押下されたときの反発により、前記係合部の運動を所定の状態に戻すことを特徴とする請求項１乃至４のいずれか１項に記載の画像形成装置。
【請求項６】
給紙カセットを収納部に収納状態で固定させるための被係合部を備える画像形成装置の収納部に収納される給紙カセットであって、
前記画像形成装置の収納部への収納状態を解除するためのボタンと、
当該給紙カセットに支持され支点を中心に回動可能であって、前記画像形成装置の前記被係合部と係合し、前記ボタンが押下されることによる前記ボタンからの押圧によって前記被係合部との係合を解除する位置に回動する係合部と、
当該ボタンが押下されることにより、一方が前記ボタンの中心から外れた位置で押圧を受け、もう一方が前記係合部を回動させる力点として作用する押圧部と、
鍵により回動可能なシリンダと、
前記シリンダが鍵により回動された状態で、前記ボタンが押下されたときの前記係合部の回動を抑制する位置に動作する固定部と
を備えることを特徴とする給紙カセット。
【請求項７】
画像形成装置と、当該画像形成装置の収納部に収納可能な給紙カセットとを施錠する施錠方法であって、
前記給紙カセットは、
前記画像形成装置の収納部への収納状態を解除するためのボタンと、
前記給紙カセットに支持され支点を中心に回動可能であって、該給紙カセットと前記画像形成装置を係合し、前記ボタンが押下されると、前記ボタンからの押圧によって係合を解除する位置に回動する係合部と、
当該ボタンが押下されることにより、一方が前記ボタンの中心から外れた位置で押圧を受け、もう一方が前記係合部を回動させる力点として作用する押圧部とを備え、
前記画像形成装置は、
前記給紙カセットを前記収納部に収納状態で固定させるために、前記係合部が係合する被係合部を備え、
前記給紙カセットまたは前記画像形成装置は、
鍵により回動可能なシリンダと、
前記シリンダが鍵により回動された状態で、前記ボタンが押下されたときの前記係合部の回動を抑制する位置に動作する固定部と
を備えることを特徴とする画像形成装置と給紙カセットとを施錠する施錠方法。
【手続補正２】
【補正対象書類名】明細書
【補正対象項目名】００２２
【補正方法】変更
【補正の内容】
【００２２】
即ち、本発明の画像形成装置は、給紙カセットを収納可能な収納部を備える画像形成装置において、前記給紙カセットは、前記画像形成装置の収納部への収納状態を解除するためのボタンと、前記給紙カセットに支持され支点を中心に回動可能であって、該給紙カセットと前記画像形成装置を係合し、前記ボタンが押下されると、前記ボタンからの押圧によって係合を解除する位置に回動する係合部と、当該ボタンが押下されることにより、一方が前記ボタンの中心から外れた位置で押圧を受け、もう一方が前記係合部を回動させる力点として作用する押圧部とを備え、前記画像形成装置は、前記給紙カセットを前記収納部に収納状態で固定させるために、前記係合部が係合する被係合部を備え、前記給紙カセットまたは前記画像形成装置は、鍵により回動可能なシリンダと、前記シリンダが鍵により回動された状態で、前記ボタンが押下されたときの前記係合部の回動を抑制する位置に動作する固定部とを備えることを特徴とする。